(57)【要約】【課題】青果物のように大きさを選別してもその大きさに誤差が生じてしまう物品であっても、その誤差を吸収してがたつきが生じたり、無理な力がかかったりする事態を防止し、物品の収まりを良くして物品の保護性能の向上を図る。【解決手段】第一仕切り体Ｐ１及び第二仕切り体Ｐ２を備え、第一仕切り体Ｐ１を、箱Ｂの底面３０に敷設され物品Ｇが載置される底板部１１と、底板部１１に一体に立設され上記列設された物品Ｇの列間に介装される列仕切り板１２とを備え、列仕切り板１２の上端縁１２ａから下に向かう切り込み１３を、列仕切り板１２にその長手方向に沿って所定間隔で複数形成し、この切り込み１３により列仕切り板１２を分割した複数の列仕切り単体１４を設けて構成し、第二仕切り体Ｐ２を、列方向に隣接する各物品Ｇ間に介装される複数の個別仕切り単体２０と、各個別仕切り単体２０をその上端で順に連結する可撓性の連結索２１とを備えて構成した。【選択図】  図１
2004268938.tif 000002
【特許請求の範囲】
【請求項１】
箱内に列設されて収納される複数の物品を仕切る箱用仕切り体において、
箱の底面に敷設され物品が載置される底板部と、該底板部に一体に立設され上記列設された物品の列間に介装される列仕切り板とを備え、該列仕切り板の上端縁から下に向かう切り込みを、該列仕切り板にその長手方向に沿って所定間隔で複数形成し、該切り込みにより列仕切り板を分割した複数の列仕切り単体を設けたことを特徴とする箱用仕切り体。
【請求項２】
一枚の可撓性樹脂板に互いに平行な折り曲げ線を複数形成して、該折り曲げ線を挟む複数の短冊状の短冊部を形成し、
連設された２つの短冊部置きに存在する複数の短冊部を並べて底板部を形成するとともに、上記連設された２つの短冊部を折り曲げ線で折り曲げて重ね合わせることにより上記列仕切り板としたことを特徴とする請求項１記載の箱用仕切り体。
【請求項３】
上記列仕切り板を形成する短冊部の厚さが底板部を構成する短冊部の厚さよりも薄肉厚になるように圧縮形成したことを特徴とする請求項２記載の箱用仕切り体。
【請求項４】
上記底板部の上記列仕切り板に平行な両側縁に、最外側の物品の列を押さえる押え板を一体に立設したことを特徴とする請求項１，２または３記載の箱用仕切り体。
【請求項５】
箱内に列設されて収納される複数の物品を仕切る箱用仕切り体において、
上記列方向に隣接する各物品間に介装される複数の個別仕切り単体と、該各個別仕切り単体をその上端で順に連結する可撓性の連結索とを備えて構成したことを特徴とする箱用仕切り体。
【請求項６】
上記複数の個別仕切り単体及び連結索を樹脂で一体形成したことを特徴とする請求項５記載の箱用仕切り体。
【請求項７】
長方形状の可撓性樹脂板の中間部を略Ｓ字状に連続して型抜きすることにより形成され、上記樹脂板の長手方向側縁部を連結索とし、該側縁部に連設され型抜きされた中間部を個別仕切り単体としたことを特徴とする請求項６記載の箱用仕切り体。
【請求項８】
上記個別仕切り単体の厚さが連結索の厚さよりも薄肉厚になるようにして圧縮形成したことを特徴とする請求項７記載の箱用仕切り体。
【請求項９】
個別仕切り単体の両側端部を該個別仕切り単体の一方の面側に向けて折曲形成したことを特徴とする請求項６，７または８記載の箱用仕切り体。
【請求項１０】
上記請求項１乃至４いずれか記載の箱用仕切り体を第一仕切り体とし、
上記請求項５乃至９いずれか記載の箱用仕切り体を第二仕切り体とし、該第一及び第二仕切り体の両方を備えたことを特徴とする箱用仕切り体。
【発明の詳細な説明】
【０００１】
【発明の属する技術分野】
本発明は、箱内に列設されて収納される複数の物品を仕切る箱用仕切り体に関する。
【０００２】
【従来の技術】
一般に、物品として、例えば、りんごのような青果物においては、これらを箱内に列設して収納し、搬送したり貯蔵することを行なうが、このような物品においては、物品が箱の中で動かないようにし物品同士がぶつかるなどして物品が損傷することを防止したり、また、揺れによって物品が動き乱雑になり配列が乱れないようにしたりするために、箱用仕切り体により、物品を仕切って収納することを行なう。
【０００３】
従来、この種の箱用仕切り体としては、特許文献１（特開２０００−３１８７３９号公報）に記載のものが知られている。
この箱用仕切り体Ｐａは、図１１に示すように、箱内に収納される複数の物品を行列状に仕切るもので、列仕切り板１と行仕切り板２とを備えている。
列仕切り板１は、一枚の板に互いに平行な折り曲げ線を複数形成して、折り曲げ線を挟む複数の短冊状の短冊部３を形成し、連設された２つの短冊部３置きに存在する複数の短冊部３を並べて底板部４を形成するとともに、連設された２つの短冊部３を折り曲げ線で折り曲げて重ね合わせて立設させることにより形成されている。列仕切り板１の下部には、下切込５が入れられており、底板部には下切込５の延長線上に差込溝６が入れられている。一方、行仕切り板２は、２つ折になっており、上部に上切込７が入れられている。そして、この行仕切り板２は下から差込溝６へ差し込まれて、下切込５と上切込７とを互いに噛み合わせて固定される。
【０００４】
このような箱用仕切り体Ｐａを用いて、物品として、例えば、青果物であるりんご（図示せず）を入れるときは、予め、同程度の大きさのりんごを選別して、りんごの大きさを揃えておき、この大きさの揃ったりんごを、列仕切り板と行仕切り板の側面の四辺で形成される升状の各個別収納スペースＳに一つずつ収納して行なう。
【０００５】
【特許文献１】
特開２０００−３１８７３９号公報
【０００６】
【発明が解決しようとする課題】
ところで、上記のりんごのような物品においては、その大きさがある程度揃っていても、個別には多少なりとも大きさに誤差が生じてしまう。
上記の従来の箱用仕切り体Ｐａにあっては、列仕切り板１と行仕切り板２とが互いに噛み合わされて固定されているので、このりんごのように大きさに多少の誤差がある物品を収納する場合に、各仕切り板１，２は物品の大きさの誤差に対して追従することができないことになって、以下のような支障を生じてしまうという問題があった。
【０００７】
即ち、りんごが個別収納スペースＳより小さい場合には、個別収納スペースＳに収納したりんごと、この個別収納スペースＳを形成する列仕切り板１及び行仕切り板２との間に隙間が生じ、りんごが個別収納スペースＳでがたついて、搬送過程などで傷がついたりする虞が生じる。
また、個別収納スペースＳよりりんごが大きい場合には、列仕切り板１または行仕切り板２が突っ張ってしまい、収納するりんごに無理な力がかかり、これによっても、各仕切り板１，２によりりんごを傷めてしまう虞が生じる。
【０００８】
また、従来の箱用仕切り体Ｐａにあっては、升状の各個別収納スペースＳに一つずつ収納して行なうので、図７（ａ）（ｂ）（ｃ）に示すように、列方向のりんごＡとりんごＡの間に、隣の列のりんごＡがくるよう、列の位相をずらせて配置することができず、りんごＡの大きさによっては、箱内を有効に利用できない場合がある問題もあった。
【０００９】
本発明は上記の問題点に鑑みて為されたもので、青果物のように大きさを選別してもその大きさに誤差が生じてしまう物品であっても、その誤差を吸収してがたつきが生じたり、無理な力がかかったりする事態を防止し、物品の収まりを良くして物品の保護性能の向上を図った箱用仕切り体を提供することを目的とする。
また、物品の列の位相をずらせて配置できるようにし、箱内を有効に利用できるようにする点も目的とする。
【００１０】
【課題を解決するための手段】
このような目的を達成するための本発明の箱用仕切り体は、箱内に列設されて収納される複数の物品を仕切る箱用仕切り体において、
箱の底面に敷設され物品が載置される底板部と、該底板部に一体に立設され上記列設された物品の列間に介装される列仕切り板とを備え、該列仕切り板の上端縁から下に向かう切り込みを、該列仕切り板にその長手方向に沿って所定間隔で複数形成し、該切り込みにより列仕切り板を分割した複数の列仕切り単体を設けた構成としている。
【００１１】
この箱用仕切り体に物品を収納する際は、各列仕切り板間にできる列に物品を並べる。この場合、物品がりんごのように、その大きさがある程度選別されて揃えられていても、個別には多少なりとも大きさに誤差が生じてしまうものでは、物品がなす列の外側には凹凸が生じてしまうが、この箱用仕切り体にあっては、列仕切り単体は切り込みで分離されているので、個々に撓むことができ、幅変更が自在になり、そのため、列仕切り単体が物品の外側の凹凸に追従して折れ曲がるようになる。これにより、物品の大きさの誤差が吸収され、収まりが良くなる。このため、がたつきが生じたり、無理な力がかかったりする事態が防止され、物品の保護性能の向上が図られる。
【００１２】
また、列仕切り板に切り込みを入れて列仕切り単体を形成しているので追従性が良いので、列方向に並ぶ物品の数を増減しても物品の列の外側に追従することができ、同じ設計でも様々な詰め方を行なうことができる。また、物品の列の位相をずらせて配置できるようにもなり、箱内を有効に利用することができるようになる。
【００１３】
また、必要に応じ、一枚の可撓性樹脂板に互いに平行な折り曲げ線を複数形成して、該折り曲げ線を挟む複数の短冊状の短冊部を形成し、
連設された２つの短冊部置きに存在する短冊部を並べて底板部を形成するとともに、上記連設された２つの短冊部を折り曲げ線で折り曲げて重ね合わせることにより上記列仕切り板としている。
一枚の可撓性樹脂板をプレス機などで成形し、この樹脂板を折り曲げるだけで良いので、製造がきわめて容易になる。
【００１４】
更に、必要に応じ、上記列仕切り板を形成する短冊部の厚さが底板部を構成する短冊部の厚さよりも薄肉厚になるように圧縮形成している。
物品が収納された状態では、列仕切り板を形成する短冊部の厚さが底板部を構成する短冊部の厚さよりも薄肉厚になるように圧縮形成されており、列仕切り板の厚さと、底板部の厚さが同じ厚さになっているので、列仕切り板は、底板部よりも板の密度が高く、剛性が高いものになっていることから、柔らか過ぎることによるりんごの動きが抑制され、物品の保持が確実になる。
【００１５】
更にまた、必要に応じ、上記底板部の上記列仕切り板に平行な両側縁に、最外側の物品の列を押さえる押え板を一体に立設している。
この押え板が複数の列をなす物品の列のうち最外側の列も保護することができ、物品の保護が確実になる。
【００１６】
また、箱内に列設されて収納される複数の物品を仕切る箱用仕切り体において、上記列方向に隣接する各物品間に介装される複数の個別仕切り単体と、該各個別仕切り単体をその上端で順に連結する可撓性の連結索とを備えた構成としている。
【００１７】
この箱用仕切り体を用いて物品を収納する際は、列をなす物品の複数の列において、この物品間に個別仕切り単体を差し入れて行なうが、物品としての青果物であるりんご等は、選別されて大きさがある程度揃えられていても、個別には多少なりとも大きさに誤差が生じている。このため、列をなす物品の複数の列において、物品の位置が一義的ではない。この箱用仕切り体でその物品の列を仕切った場合には、個別仕切り単体が連結索で連結されているので、移動が自由で幅変更が自在になっており、そのため、物品の位置に追従して物品間に差し入れることができ、物品の大きさの誤差を吸収し、収まりが良くなる。このため、がたつきが生じたり、無理な力がかかったりする事態が防止され、物品の保護性能の向上が図られる。
【００１８】
また、個別仕切り単体が連結索で連結されているので、移動が自由で幅変更が自在になっていることから、物品の列の位相をずらせて入れても、この第二仕切り体でこの物品を個別に仕切ることができ、箱内を有効に活用することができる。
更に、箱に収納した物品のなす列において列方向に物品の数を増やしたり減らしたりして各物品の詰め方を変えても、この数に対応させた個別仕切り単体のある仕切り体を容易に用意することができ、物品の様々な詰め方を行なうことができる。
【００１９】
また、個別仕切り単体は連結索で連結されているので、バラバラにならず、取り扱いが容易になっている。
更に、物品の上部には、この箱用仕切り体の連結索が介在することになるので、物品の上に箱の蓋や多段に詰まれた同様の物品があっても、この連結索がパッキンとして機能することになり、物品の上部の保護も確実になる。即ち、従来、物品の上部と箱の蓋との間に入れていたシート状のパッキン、あるいは、下の段の物品の上部と上の段との間に入れたパッキンを不要にすることを意味し、部品点数を低減できる効果がある。
【００２０】
また、必要に応じ、上記複数の個別仕切り単体及び連結索を樹脂で一体形成している。複数の個別仕切り単体及び連結索が樹脂で一体形成されるので、製造がきわめて容易に行なわれる。
更に、必要に応じ、長方形状の可撓性樹脂板の中間部を略Ｓ字状に連続して型抜きすることにより形成され、上記樹脂板の長手方向側縁部を連結索とし、該側縁部に連設され型抜きされた中間部を個別仕切り単体とした構成としている。
可撓性樹脂板の中間部を略Ｓ字状に連続して型抜きするので、この箱用仕切り体が２個同時にできることになり、製造効率が極めてよい。
【００２１】
上記個別仕切り単体の厚さが連結索の厚さよりも薄肉厚になるようにして圧縮形成している。個別仕切り単体の厚さが連結索の厚さよりも薄肉厚になるようにして圧縮形成されているので、密度が高く、剛性が高いものになっていることから、柔らか過ぎることによる物品の動きが抑制され、この点でも、物品の保持が確実になる。また、反面、連結索は、個別仕切り単体よりも柔らかくなり、パッキンとして確実に機能させることができる。
【００２２】
また、必要に応じ、個別仕切り単体の両側端部を該個別仕切り単体の一方の面側に向けて折曲形成している。個別仕切り単体の一方の面側に向けて折曲形成されているので、この両端部で物品を包持するようになり、そのため、物品の保持が確実になり、収納する物品の保護性能を向上させることができる。
【００２３】
そして、必要に応じ、上記底板部に複数の列仕切り単体を設けた列仕切り板を備えた箱用仕切り体を第一仕切り体とし、上記複数の個別仕切り単体を連結索で連結した箱用仕切り体を第二仕切り体とし、該第一及び第二仕切り体の両方を備えた構成としている。第一及び第二仕切り体の両方の相乗作用により、より一層、物品の収まりが良くなり、がたつきが生じたり、無理な力がかかったりする事態を確実に防止して、物品の保護性能の向上を図ることができる。
【００２４】
【発明の実施の形態】
以下、添付図面に基づいて、本発明の実施の形態に係る箱用仕切り体について詳細に説明する。
図１に示すように、本発明の実施の形態に係る箱用仕切り体Ｐは、箱Ｂ内部に第一仕切り体Ｐ１と第二仕切り体Ｐ２とを備えて構成されている。
【００２５】
第一仕切り体Ｐ１は、図２に示すように、一枚の可撓性の例えば発泡スチロールからなる樹脂板１０で折曲形成され、箱の底面３０に敷設され物品Ｇが載置される底板部１１と、底板部１１に一体に立設され列設された物品Ｇの列間に介装される複数の列仕切り板１２とを備えている。
列仕切り板１２には、上端縁１２ａから下に向かう切り込み１３が長手方向に沿って所定間隔で複数形成され、切り込み１３により列仕切り板１２を分割してなる複数の列仕切り単体１４が備えられている。
【００２６】
詳しくは、図３にも示すように、一枚の可撓性樹脂板１０に互いに平行な折り曲げ線１５を複数形成して、この折り曲げ線を挟む複数の短冊状の短冊部１６を形成し連設された２つの短冊部１６置きに存在する複数の短冊部１６を並べて底板部１１を形成するとともに、連設された２つの短冊部１６を折り曲げ線１５で折り曲げて重ね合わせることにより列仕切り板１２としている。
【００２７】
更に、第一仕切り体Ｐ１において、図１乃至図３に示すように、列仕切り板１２を形成する短冊部１６の厚さは、底板部１１を構成する短冊部１６の厚さよりも薄肉厚になるように圧縮形成されている。実施の形態では、列仕切り板１２を形成する短冊部１６の厚さＤ２が、底板部１１を構成する短冊部１６の厚さＤ１に対して、半分の厚さに設定されており、結果として、列仕切り板１２の厚さＤと、底板部１１の厚さＤ１が同じ厚さになっている。そのため、列仕切り板１２は、底板部１１よりも板の密度が高く、剛性が高いものになっている。
【００２８】
また、底板部１１の列仕切り板１２に平行な両側縁には、最外側の物品Ｇの列を押さえる押え板１７が底板部１１と一体に立設されている。押え板１７の厚さは、Ｄ１となっている。
【００２９】
次に、この第一仕切り体Ｐ１を製造する場合について説明する。先ず、図３（１）に示すように、一枚の可撓性樹脂板１０に互いに平行な折り曲げ線１５を複数形成し、折り曲げ線１５を挟む複数の短冊状の短冊部１６を形成する。それから、図３（２）に示すように、連設された２つの短冊部１６置きに存在する短冊部１６を底板部１１とし、連設された２つの短冊部１６を列仕切り板１２とし、最外側の短冊部１６を押え板１７として定める。そして、連設された２つの短冊部１６及び最外側の短冊部１６を、プレス機を用いて、圧縮するとともに、連設された２つの短冊部１６に、折り曲げ線１５と直交する切り込み１３を入れる。
【００３０】
次に、図３（３）に示すように、折り曲げ線１５を折り曲げていく。この際、連設された２つの短冊部１６を摘み折って立設させて重ね合わせて列仕切り板１２を形成し、最外側の短冊部１６も立設して押え板１７を形成する。また、連設された２つの短冊部１６置きに存在する複数の短冊部１６を連設して底板部１１とする。これにより、図３（４）に示すような、第一仕切り体Ｐ１が完成する。この場合、一枚の可撓性樹脂板をプレス機などで成形し、折り曲げるだけで良いので、製造がきわめて容易になる。
【００３１】
第二仕切り体Ｐ２は、図１，図４及び図５に示すように、列方向に隣接する各物品Ｇ間に介装される複数の個別仕切り単体２０と、各個別仕切り単体２０をその上端で順に連結する可撓性の連結索２１とを備えている。複数の個別仕切り単体２０及び連結索２１は、例えば発泡スチロール等の樹脂で一体形成されている。
【００３２】
また、個別仕切り単体２０の両側端部２３は個別仕切り単体２０の一方の面側に向けて折曲形成されている。円形の物品Ｇ等に対して、物品Ｇの外側に接する面積を広くすることができる。また、個別仕切り単体２０の下端２２の角はアール状に面取り形成されている。
【００３３】
また、第二仕切り体Ｐ２は、図６にも示すように、長方形状の例えば発泡スチロールの可撓性樹脂板２４の中間部２６を略Ｓ字状に連続して型抜きすることにより形成され、樹脂板２４の長手方向側縁部２５を連結索２１とし、側縁部２５に連設され型抜きされた中間部２６を個別仕切り単体２０としている。また、長方形状の樹脂板２４の中間部２６を圧縮形成し、この中間部２６を、略Ｓ字状に連続して型抜きすることにより個別仕切り単体２０を形成し、樹脂板２４の長手方向側縁部２５を連結索２１としている。
【００３４】
また、第二仕切り体Ｐ２は、個別仕切り単体２０の厚さが連結索２１の厚さよりも薄肉厚になるようにして圧縮形成されている。図４及び図５に示すように、個別仕切り単体２０の厚さＴ１が連結索２１の厚さＴ２に対して半分以下の厚さに設定されている。そのため、連結索２１は、個別仕切り単体２０よりも柔らかく、パッキンとして機能できるようになっている。
【００３５】
次に、この第二仕切り体Ｐ２を製造する場合について説明する。先ず、図６（１）に示すように、一枚の可撓性樹脂板２４を用意し、図６（２）に示すように、プレス機などにより、可撓性樹脂板２４の中間部２６を略Ｓ字状に連続して型抜きするとともに、この中間部２６を圧縮形成する。これにより左右に第二仕切り体Ｐ２が形作られる。次に、図６（３）（４）に示すように、左右の第二仕切り体Ｐ２を切り離す。それから、図６（５）に示すように、プレス機などにより、個別仕切り単体２０の両側端部２３を、個別仕切り単体２０の一方の面側に向けて折曲形成する。これにより、図６（６）に示すように、第二仕切り体Ｐ２が完成する。この場合、第二仕切り体Ｐ２は、複数の個別仕切り単体２０及び連結索２１を樹脂で一体形成して形成されるので、製造がきわめて容易に行なわれる。また、可撓性樹脂板２４の中間部２６を略Ｓ字状に連続して型抜きするので、第二仕切り体Ｐ２が２個同時にできることになり、製造効率が極めてよい。
【００３６】
次に、この第一仕切り体Ｐ１及び第二仕切り体Ｐ２からなる箱用仕切り体Ｐを用いて、例えば、物品ＧとしてのりんごＡを箱へ収納する際は、以下のようになる。りんごＡは、成育状態等によって大きさが異なるので、例えば、大，中，小等にランク付けし、予め略同じ大きさのものに揃えておく。
【００３７】
ここで、りんごＡの詰め方について説明する。図７に示すように、例えば、所定の大きさの箱において、１６個詰め（ａ）、１４個詰め（ｂ）、１２個詰め（ｃ）、２０個詰め（ｄ）を行なう。１６個詰め、１４個詰め、１２個詰めにおいては、例えば大きさが「大」のランクのりんごＡを詰め、２０個詰めでは、例えば、大きさが「中」のランクのりんごＡを詰める。即ち、１６個詰め（ａ）は、各列にりんごＡを夫々（１列目・２列目・３列目・４列目）＝（４個・４個・４個・４個）として列方向に並ぶりんごＡの間に隣の列のりんごＡがくるように位相をずらしたりんごＡを配置する。１４個詰め（ｂ）は、各列にりんごＡを夫々（１列目・２列目・３列目・４列目）＝（４個・３個・４個・３個）として上記の１６個詰めと同様に位相をずらしてりんごＡを配置する。１２個詰め（ｃ）は、（１列目・２列目・３列目・４列目）＝（３個・３個・３個・３個）として上記の１６個詰めと同様に位相をずらしてりんごＡを配置する。２０個詰め（ｄ）は、各列にりんごＡを夫々（１列目・２列目・３列目・４列目）＝（５個・５個・５個・５個）としてりんごＡを行列状に配置する。これらにおいては、りんごＡは全て４列に詰められ、同じ箱用仕切り体Ｐ１，Ｐ２を用いて詰めることができる。
【００３８】
即ち、この仕切り体Ｐは、いずれの詰め方にも対応できるものであり、例えば、図１に示すように、外寸を４３０ｍｍ×３６０ｍｍ×１２５ｍｍに形成された箱Ｂと、一枚の樹脂板１０の寸法を４２０ｍｍ×１２２０ｍｍ，底板部１１の厚さＤ１をＤ１＝６ｍｍ，列仕切り板１２の厚さＤ１をＤ２＝３ｍｍ，底板部１１の幅を８４ｍｍ，列仕切り板１２の高さを１１０ｍｍに形成し、切り込み１３を１２本入れて列仕切り単体１４を１３個備えた第一仕切り体Ｐ１と、個別仕切り単体２０を幅１００ｍｍ，高さ１１０ｍｍ，各個別仕切り単体２０をつなぐ連結索２１の個別仕切り単体２０間の長さを１１０ｍｍに形成される第二仕切り体Ｐ２とを用いる。
【００３９】
先ず、１６個詰めの場合について説明する。
図１及び図８に示すように、列仕切り板１２及び押え板１７を立設した第一仕切り体Ｐ１を底板部１１が箱の底面３０に敷設されるよう箱Ｂへ入れる。それから、（１列目・２列目・３列目・４列目）＝（４個・４個・４個・４個）としたりんごＡを列方向に並ぶりんごＡの間に隣の列のりんごＡがくるように位相をずらして第一仕切り体Ｐ１に収納する。この場合、周知の箱詰め機により、１６個のりんごＡは、一時に箱Ｂに収納される。
【００４０】
次に、図９及び図１０に示すように、第二仕切り体Ｐ２を、個別仕切り単体２０を列方向に隣接する各りんごＡの間及び列方向の最外側のりんごＡと箱Ｂの内壁３２との間に介装する。この際、連結索２１を列方向に向けて鋸刃状にりんごＡの上方を覆うよう左右に曲折する。この場合、個別仕切り単体２０は連結索２１で連結されているので、バラバラにならず、取り扱いが容易になっている。
そして、最後に箱Ｂの蓋３１を閉めて、りんごＡの収納を終える。
【００４１】
このようにりんごＡが収納された状態では、りんごＡのような物品Ｇにおいては、その大きさがある程度揃っていても、個別には多少なりとも大きさに誤差が生じており、各列の外側には凹凸が生じるが、図１０に示すように、第一仕切り体Ｐ１にあっては、列仕切り単体１４は切り込み１３で分離されているので、個々に撓むことができることから、幅変更が自在になり、そのため、列仕切り単体１４がりんごＡの外側の凹凸に追従して折れ曲がるようになり、りんごＡの大きさの誤差を吸収し、収まりが良くなる。このため、がたつきが生じたり、無理な力がかかったりする事態が防止され、物品Ｇの保護性能の向上が図られる。
【００４２】
また、りんごＡの大きさがある程度揃っていても、個別には多少なりとも大きさに誤差が生じていることから、各列において、りんごＡの位置が、一義的でないが、第二仕切り体Ｐ２にあっては、個別仕切り単体２０が連結索２１で連結されているので、移動が自由で幅変更が自在になっており、そのため、りんごＡの位置に追従してりんごＡ間に差し入れることができ、りんごＡの大きさの誤差を吸収し、収まりが良くなる。このため、がたつきが生じたり、無理な力がかかったりする事態が防止され、物品Ｇの保護性能の向上が図られる。
【００４３】
更に、りんごＡが収納された状態では、列仕切り板１２を形成する短冊部１６の厚さが底板部１１を構成する短冊部１６の厚さよりも薄肉厚になるように圧縮形成されており、列仕切り板１２の厚さＤと、底板部１１の厚さＤ１が同じ厚さになっているので、列仕切り板１２は、底板部１１よりも板の密度が高く、剛性が高いものになっていることから、柔らか過ぎることによるりんごＡの動きが抑制され、りんごＡの保持が確実になる。
また、第二仕切り体Ｐ２は、個別仕切り単体２０の厚さが連結索２１の厚さよりも薄肉厚になるようにして圧縮形成されているので、密度が高く、剛性が高いものになっていることから、柔らか過ぎることによるりんごＡの動きが抑制され、この点でも、りんごＡの保持が確実になる。
【００４４】
更にまた、底板部１１の列仕切り板１２に平行な両側縁に、最外側の物品Ｇの列を押さえる押え板１７が一体に立設されているので、両側の列のりんごＡの保護が確実になる。
また、個別仕切り単体２０の両側端部２３は、個別仕切り単体２０の一方の面側に向けて折曲形成されているので、この両端部でりんごＡを包持するようになり、そのため、りんごＡの保持が確実になり、収納する物品Ｇの保護性能を向上させることができる。
【００４５】
また、図１０に示すように、各りんごＡの上部には、第二仕切り体Ｐ２の連結索２１が介在することになるので、箱Ｂの蓋３１とりんごＡとの間にパッキンがあると同等になることから、りんごＡの上部の保護も確実になる。また、このことは、従来、りんごＡの上部と箱の蓋３１との間に入れていたシート状のパッキンを不要にすることができることを意味し、部品点数を低減できるという効果もある。
【００４６】
更に、第二仕切り体Ｐ２によれば、個別仕切り単体２０が連結索２１で連結されており、移動が自由で幅変更が自在になっているので、りんごＡのなす列のりんごＡの位置の位相をずらせても入れても、この第二仕切り体Ｐ２でこのりんごＡを個別に仕切ることができ、箱Ｂ内を有効に活用することができる。
【００４７】
次に、１４個詰めの場合について説明する。
列仕切り板１２及び押え板１７を立設した第一仕切り体Ｐ１を底板部１１が箱Ｂの底面３０に敷設されるよう箱Ｂへ入れる。それから、図７（ｂ）に示すように、（１列目・２列目・３列目・４列目）＝（４個・３個・４個・３個）としたりんごＡを列方向に並ぶりんごＡの間に隣の列のりんごＡがくるように位相をずらして第一仕切り体Ｐ１に収納する。この場合、周知の箱詰め機により、１４個のりんごＡは、一時に箱Ｂに収納される。
【００４８】
次に、第二仕切り体Ｐ２を、個別仕切り単体２０を列方向に隣接する各りんごＡの間及び列方向の最外側のりんごＡと箱Ｂの内壁３２との間に介装する。この際、連結索２１を列方向に向けて鋸刃状にりんごＡの上方を覆うよう左右に曲折する。そして、最後に箱Ｂの蓋３１を閉めて、りんごＡの収納を終える。
【００４９】
この際、列方向のりんごＡの数が減らされても、第一仕切り体Ｐ１にあっては、列仕切り単体１４は切り込み１３で分離されているので、個々に撓むことができることから、幅変更が自在になり、列仕切り単体１４がりんごＡの外側の凹凸に追従して折れ曲がるようになり、そのため、りんごＡの少ない列（りんごＡが３つの列）の両端のりんごＡの押えも確実に行なわれる。このため、がたつきが生じたり、無理な力がかかったりする事態が防止され、物品Ｇの保護性能の向上が図られる。尚、第二仕切り体Ｐ２にあっては、列に配置するりんごＡの数に対応させて、個別仕切り単体２０の数を切断して減らせばよい。
【００５０】
続いて、１２個詰めの場合について説明する。
列仕切り板１２及び押え板１７を立設した第一仕切り体Ｐ１を底板部１１が箱Ｂの底面３０に敷設されるよう箱Ｂへ入れる。それから、図７（ｃ）に示すように、（１列目・２列目・３列目・４列目）＝（３個・３個・３個・３個）としたりんごＡを列方向に並ぶりんごＡの間に隣の列のりんごＡがくるように位相をずらして第一仕切り体Ｐ１に収納する。この場合、周知の箱詰め機により、１２個のりんごＡは、一時に箱Ｂに収納される。
【００５１】
次に、第二仕切り体Ｐ２を、個別仕切り単体２０を列方向に隣接する各りんごＡの間及び列方向の最外側のりんごＡと箱の内壁３２との間に介装する。この際、連結索２１を列方向に向けて鋸刃状にりんごＡの上方を覆うよう左右に曲折する。そして、最後に箱Ｂの蓋３１を閉めて、りんごＡの収納を終える。
【００５２】
この際にも、第一仕切り体Ｐ１によると、列仕切り板１２に切り込み１３を入れて列仕切り単体１４を形成しているので追従性が良いので、列方向のりんごＡの数を増減してもりんごＡの列の外側に追従することができ、りんごＡの押えも確実に行なわれる。このため、がたつきが生じたり、無理な力がかかったりする事態が防止され、物品Ｇの保護性能の向上が図られる。
【００５３】
また、次に、２０個詰めの場合について説明する。
先ず、上記と同様に、列仕切り板１２及び押え板１７を立設した第一仕切り体Ｐ１を底板部１１が箱の底面３０に敷設されるよう箱Ｂへ入れる。それから、図７（ｄ）に示すように、（１列目・２列目・３列目・４列目）＝（５個・５個・５個・５個）としたりんごＡを升目状にして第一仕切り体Ｐ１に収納する。この場合、周知の箱詰め機により、２０個のりんごＡは、一時に箱Ｂに収納される。次に、第二仕切り体Ｐ２を、個別仕切り単体２０を列方向に隣接する各りんごＡの間及び列方向の最外側のりんごＡと箱Ｂの内壁３２との間に介装し、最後に箱Ｂの蓋３１を閉めて、りんごＡの収納を終える。
【００５４】
この場合も、上記と同様に、第一仕切り体Ｐ１によると、列仕切り板１２に切り込み１３を入れて列仕切り単体１４を形成しているので追従性が良いので、りんごＡの押えが確実に行なわれる。このため、がたつきが生じたり、無理な力がかかったりする事態が防止され、物品Ｇの保護性能の向上が図られる。即ち、りんごＡの大きさが多少小さくなって、箱に多数詰めるような場合であっても、対応できるようになる。
【００５５】
尚、上記実施の形態では、りんごＡを１段に詰める場合で説明したが、必ずしもこれに限定されるものではなく、２段にするなど、多段にして詰めて良い。この場合にも、下段の第二仕切り体Ｐ２の連結索２１を、上下段間のパッキンとして機能させることができる。そのため、従来、上下段間に入れていたシート状のパッキンを不要にすることができ、部品点数を低減できる。また、シート状のパッキンを入れる工程を省くことができ、それだけ収納作業の効率を向上させることができる。
【００５６】
尚また、上記仕切り板の各部の大きさや、仕切り板間の間隔は、詰めるりんごの大きさに合わせて適宜変更して良い。
また、上記実施の形態では、物品としてりんごＡに適用したが、必ずしもこれに限定されるものではなく、どのような物品であってもよいことは勿論である。
【００５７】
【発明の効果】
以上説明したように、本発明の箱用仕切り体によれば、箱の底面に敷設され物品が載置される底板部と、底板部に一体に立設され上記列設された物品の列間に介装される列仕切り板とを備え、箱用仕切り体の上端縁から下に向かう切り込みを、列仕切り板にその長手方向に沿って所定間隔で複数形成し、切り込みにより列仕切り板を分割した複数の列仕切り単体を設けたので、この列仕切り単体は、個々に撓むことができることから、幅変更が自在になり、そのため、列仕切り単体が物品の外側の凹凸に追従して折れ曲がるようになり、物品の大きさの誤差を吸収し、収まりを良くすることができる。このため、がたつきが生じたり、無理な力がかかったりする事態を防止することができ、物品の保護性能の向上を図ることができる。
また、列仕切り板に切り込みを入れて列仕切り単体を形成しているので追従性が良いので、列方向に並ぶ物品の数を増減してもりんごの列の外側に追従することができ、同じ設計でも様々な詰め方を行なうことができる。
【００５８】
また、本発明の箱用仕切り体によれば、列方向に隣接する各物品間に介装される複数の個別仕切り単体と、各個別仕切り単体をその上端で順に連結する可撓性の連結索とを備えて構成したので、個別仕切り単体の移動が自由で幅変更が自在になっており、そのため、物品の位置に追従して物品間に差し入れることができ、物品の大きさの誤差を吸収し、収まりを良くすることができる。このため、がたつきが生じたり、無理な力がかかったりする事態を防止することができ、物品の保護性能の向上を図ることができる。
【００５９】
また、個別仕切り単体は連結索で連結されているので、バラバラにならず、取り扱いが容易になっている。
更に、物品の上部には、この箱用仕切り体の連結索が介在することになるので、パッキンとして機能させることができ、物品の上部の保護も確実になる。このことは、従来用いていたシート状のパッキンを不要にすることができることを意味し、部品点数を低減できる効果がある。
【図面の簡単な説明】
【図１】本発明の実施の形態に係る箱用仕切り体を示す分解斜視図である。
【図２】本発明の実施の形態に係る箱用仕切り体において第一仕切り体を示す斜視図である。
【図３】本発明の実施の形態に係る箱用仕切り体において第一仕切り体の製造工程を示す図である。
【図４】本発明の実施の形態に係る箱用仕切り体において第二仕切り体を示す斜視図である。
【図５】本発明の実施の形態に係る箱用仕切り体において第二仕切り体の図６中Ａ−Ａ線断面図である。
【図６】本発明の実施の形態に係る箱用仕切り体において第二仕切り体の製造工程を示す図である。
【図７】本発明の実施の形態に係る箱用仕切り体に適用されるりんごの詰め方の例を示す図である。
【図８】本発明の実施の形態に係る箱用仕切り体の第一仕切り体に物品を詰めた状態を示す断面図である。
【図９】本発明の実施の形態に係る箱用仕切り体の第二仕切り体を物品間へ介装した状態で示す断面図である。
【図１０】本発明の実施の形態に係る箱用仕切り体を用いて物品を箱詰めした状態を示す要部拡大平面図である。
【図１１】従来の箱用仕切り体の一例を示す斜視図である。
【符号の説明】
Ｂ  箱
Ｇ  物品
Ａ  りんご
Ｐ１  第一仕切り体
Ｐ２  第二仕切り体
１０  樹脂板
１１  底板部
１２  列仕切り板
１２ａ  上端縁
１３  切り込み
１４  列仕切り単体
１５  折り曲げ線
１６  短冊部
１７  押え板
２０  個別仕切り単体
２１  連結索
２２  下端
２３  両側端部
２４  樹脂板
２５  側縁部
２６  中間部
３０  底面
３１  蓋
３２  内壁
【図１】
2004268938.tif 000003
【図２】
2004268938.tif 000004
【図３】
2004268938.tif 000005
【図４】
2004268938.tif 000006
【図５】
2004268938.tif 000007
【図６】
2004268938.tif 000008
【図７】
2004268938.tif 000009
【図８】
2004268938.tif 000010
【図９】
2004268938.tif 000011
【図１０】
2004268938.tif 000012
【図１１】
2004268938.tif 000013